【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
複数の画像形成装置と管理装置と情報処理装置とを含む画像形成システムであって、
前記情報処理装置は、
いずれかの画像形成装置で出力するための出力データを作成する第１作成手段と、
前記第１作成手段により作成された出力データを前記管理装置に登録する指示を行うユーザを撮像する第１撮像手段と、
前記第１作成手段により作成された出力データと、前記第１撮像手段により撮像される前記ユーザの画像データとを前記管理装置に転送する転送手段と、
を備え、
前記管理装置は、
前記情報処理装置から転送されるユーザの前記画像データと前記出力データとを受信する受信手段と、
前記受信手段により受信されたユーザの前記画像データから前記出力データを特定するためのユーザ特徴情報を生成する生成手段と、
前記受信手段により受信された前記画像データと、前記出力データと、前記生成手段により生成されたユーザ特徴情報とを関連づけて記憶する記憶手段と、
前記記憶手段に記憶された出力データを検索するために前記画像形成装置で撮像されるユーザの画像データを前記画像形成装置から取得する取得手段と、
前記取得手段により取得されたユーザの前記画像データからユーザ特徴情報を作成する第２作成手段と、
前記第２作成手段により作成されたユーザ特徴情報と前記生成手段が生成したユーザ特徴情報とを用いて前記記憶手段に記憶された出力データを検索する検索手段と、
前記検索手段により検索された出力データと、前記出力データに関連づけて前記記憶手段に記憶されたユーザの画像データとを前記取得手段がユーザの画像データを取得した画像形成装置に返送する返送手段とを備え、
前記画像形成装置は、
前記画像形成装置を操作するユーザを撮像する第２撮像手段と、
前記第２撮像手段により撮像されたユーザの画像データを前記管理装置に送信する送信手段と、
前記送信手段が送信したユーザの画像データを用いて前記管理装置が検索した出力データと、前記出力データに関連づけられた前記ユーザの画像データとを前記管理装置からダウンロードするダウンロード手段と、
前記ダウンロード手段がダウンロードした前記出力データを出力する出力手段と、
を備えることを特徴とする画像形成システム。
【請求項２】
前記画像形成装置は、
さらに、前記ダウンロード手段が前記管理装置からダウンロードした複数のユーザの画像データを表示する表示手段と、
前記表示手段に表示された複数のユーザの画像データからいずれかのユーザの画像データを選択する選択手段とを備え、
前記出力手段は、前記選択手段が前記表示手段に表示されたいずれかのユーザの画像データを選択することに応じて、前記ダウンロード手段が前記管理装置からダウンロードした前記出力データを出力することを特徴とする請求項１記載の画像形成システム。
【請求項３】
前記画像形成装置は、
前記選択手段が前記表示手段により表示されたいずれかのユーザの画像データを選択した場合に、入力される識別情報を用いて当該ユーザの画像データを選択したユーザを認証する認証手段を備え、
前記認証手段によるユーザの認証が成功した場合に、前記出力手段が前記管理装置からダウンロードしたいずれかの出力データであって、前記選択手段が選択したユーザの画像データに対応する出力データを出力することを特徴とする請求項２記載の画像形成システム。
【請求項４】
前記情報処理装置は、
入力されるユーザ識別情報に用いて前記出力データに対して暗号化処理を行う暗号化手段と、
前記転送手段は、前記第１撮像手段により撮像されるユーザの画像データと、いずれかの画像形成装置で出力するために前記暗号化手段により暗号化された出力データとを前記管理装置に転送することを特徴とする請求項１記載の画像形成システム。
【請求項５】
前記画像形成装置は、
前記ダウンロード手段が前記管理装置からダウンロードした前記出力データが暗号化されているかどうかを判断する判断手段と、
前記判断手段により前記出力データが暗号化されていると判断した場合に、入力されるユーザ識別情報に用いて前記管理装置からダウンロードした前記出力データを復号化する復号化手段とを有し、
前記出力手段は、前記復号化手段が復号した出力データであって、前記選択手段が選択したユーザの画像データに対応する出力データを出力することを特徴とする請求項２記載の画像形成システム。
【請求項６】
複数の画像形成装置を管理する管理装置と通信可能な情報処理装置であって、
いずれかの画像形成装置で出力するための出力データを作成する作成手段と、
前記作成手段により作成された出力データを前記管理装置に登録する指示を行うユーザを撮像する撮像手段と、
いずれかの画像形成装置で出力可能な出力データと、前記撮像手段により撮像されるユーザの画像データとを前記管理装置に転送する転送手段とを備えことを特徴とする情報処理装置。
【請求項７】
入力されるユーザ識別情報に用いて前記出力データに対して暗号化処理を行う暗号化手段と、
前記転送手段は、前記撮像手段により撮像されるユーザの画像データと前記暗号化手段により暗号化された出力データとを前記管理装置に転送することを特徴とする請求項６記載の情報処理装置。
【請求項８】
複数の画像形成装置又は情報処理装置と通信可能な管理装置であって、
前記情報処理装置から転送されるユーザの画像データと出力データとを受信する受信手段と、
前記受信手段により受信されたユーザの前記画像データから前記出力データを特定するためのユーザ特徴情報を生成する生成手段と、
前記受信手段により受信された前記画像データと、前記出力データと、前記生成手段により生成されたユーザ特徴情報とを関連づけて記憶する記憶手段と、
前記記憶手段に記憶された出力データを検索するために前記画像形成装置で撮像されるユーザの画像データを前記画像形成装置から取得する取得手段と、
前記取得手段により取得されたユーザの前記画像データからユーザ特徴情報を作成する作成手段と、
前記作成手段により作成されたユーザ特徴情報と前記生成手段が生成したユーザ特徴情報とを用いて前記記憶手段に記憶された出力データを検索する検索手段と、
前記検索手段により検索された出力データと、前記出力データに関連づけて前記記憶手段に記憶されたユーザの画像データとを前記取得手段がユーザの画像データを取得した画像形成装置に返送する返送手段と、
を有することを特徴とする管理装置。
【請求項９】
管理装置と通信可能な画像形成装置であって、
前記画像形成装置を操作するユーザを撮像する撮像手段と、
前記管理装置に記憶された出力データのダウンロードを要求するために前記撮像手段により撮像されたユーザの画像データを前記管理装置に送信する送信手段と、
前記送信手段が送信したユーザの画像データを用いて前記管理装置が検索した出力データと、前記出力データに関連づけられて前記管理装置に記憶された前記ユーザの画像データとを前記管理装置からダウンロードするダウンロード手段と、
前記ダウンロード手段がダウンロードした前記出力データを出力する出力手段と、
を備えることを特徴とする画像形成装置。
【請求項１０】
さらに、前記ダウンロード手段が前記管理装置からダウンロードされる複数のユーザの画像データを表示する表示手段と、
前記表示手段により表示された複数のユーザの画像データからいずれかのユーザの画像データを選択する選択手段とを備え、
前記出力手段は、前記選択手段によりいずれかのユーザの画像データを選択することに応じて、前記ダウンロード手段が前記管理装置からダウンロードした前記出力データであって、前記選択手段により選択されたいずれかのユーザの画像データに対応する出力データを出力することを特徴とする請求項９記載の画像形成装置。
【請求項１１】
入力される識別情報を用いて前記表示手段に表示される前記ユーザの画像データを選択するユーザを認証する認証手段を備え、
前記認証手段によるユーザの認証が成功した場合に、前記出力手段は前記管理装置からダウンロードした前記出力データであって、前記選択手段により選択されたユーザの画像データに対応する出力データを出力することを特徴とする請求項１０記載の画像形成装置。
【請求項１２】
前記ダウンロード手段が前記管理装置からダウンロードした前記出力データであって、前記選択手段により選択されたユーザの画像データに対応する出力データが暗号化されているかどうかを判断する判断手段と、
前記判断手段により前記出力データが暗号化されていると判断した場合に、入力されるユーザ識別情報を用いて前記選択手段により選択されたユーザの画像データに対応する暗号化された出力データを復号化する復号化手段とを有し、
前記出力手段は、前記復号化手段が復号した出力データを出力することを特徴とする請求項１０記載の画像形成装置。
【請求項１３】
複数の画像形成装置を管理する管理装置と通信可能な情報処理装置におけるデータ処理方法であって、
いずれかの画像形成装置で出力するための出力データを作成する作成工程と、
前記作成工程により作成された出力データを前記管理装置に登録する指示を行うユーザを撮像する撮像工程と、
いずれかの画像形成装置で出力可能な出力データと、前記撮像工程により撮像されるユーザの画像データとを前記管理装置に転送する転送工程とを備えことを特徴とするデータ処理方法。
【請求項１４】
入力されるユーザ識別情報に用いて前記出力データに対して暗号化処理を行う暗号化工程と、
前記転送工程は、前記撮像工程により撮像されるユーザの画像データと前記暗号化工程により暗号化された出力データとを前記管理装置に転送することを特徴とする請求項１３記載のデータ処理方法。
【請求項１５】
複数の画像形成装置又は情報処理装置と通信可能な管理装置におけるデータ処理方法であって、
前記情報処理装置から転送されるユーザの画像データと出力データとを受信する受信工程と、
前記受信工程により受信されたユーザの前記画像データから前記出力データを特定するためのユーザ特徴情報を生成する生成工程と、
前記受信工程により受信された前記画像データと、前記出力データと、前記生成工程により生成されたユーザ特徴情報とを関連づけて記憶手段に保存する保存工程と、
前記記憶手段に保存された出力データを検索するために前記画像形成装置で撮像されるユーザの画像データを前記画像形成装置から取得する取得工程と、
前記取得工程により取得されたユーザの前記画像データからユーザ特徴情報を作成する作成工程と、
前記作成工程により作成されたユーザ特徴情報と前記生成工程が生成したユーザ特徴情報とを用いて前記記憶手段に保存された出力データを検索する検索工程と、
前記検索工程により検索された出力データと、前記出力データに関連づけて前記記憶手段に保存されたユーザの画像データとを前記取得工程がユーザの画像データを取得した画像形成装置に返送する返送工程と、
を有することを特徴とするデータ処理方法。
【請求項１６】
管理装置と通信可能な画像形成装置におけるデータ処理方法であって、
前記画像形成装置を操作するユーザを撮像する撮像工程と、
前記管理装置に記憶された出力データのダウンロードを要求するために前記撮像工程により撮像されたユーザの画像データを前記管理装置に送信する送信工程と、
前記送信工程が送信したユーザの画像データを用いて前記管理装置が検索した出力データと、前記出力データに関連づけられて前記管理装置に記憶された前記ユーザの画像データとを前記管理装置からダウンロードするダウンロード工程と、
前記ダウンロード工程がダウンロードした前記出力データを出力する出力工程と、
を備えることを特徴とするデータ処理方法。
【請求項１７】
さらに、前記ダウンロード工程が前記管理装置からダウンロードされる複数のユーザの画像データを表示手段に表示する表示工程と、
前記表示手段により表示された複数のユーザの画像データからいずれかのユーザの画像データを選択する選択工程とを備え、
前記出力工程は、前記選択工程によりいずれかのユーザの画像データを選択することに応じて、前記ダウンロード工程が前記管理装置からダウンロードした前記出力データであって、前記選択工程により選択されたいずれかのユーザの画像データに対応する出力データを出力することを特徴とする請求項１６記載のデータ処理方法。
【請求項１８】
入力される識別情報を用いて前記表示手段に表示される前記ユーザの画像データを選択するユーザを認証する認証工程を備え、
前記認証工程によるユーザの認証が成功した場合に、前記出力工程は前記管理装置からダウンロードした前記出力データであって、前記選択工程により選択されたユーザの画像データに対応する出力データを出力することを特徴とする請求項１７記載のデータ処理方法。
【請求項１９】
前記ダウンロード工程が前記管理装置からダウンロードした前記出力データであって、前記選択工程により選択されたユーザの画像データに対応する出力データが暗号化されているかどうかを判断する判断工程と、
前記判断工程により前記出力データが暗号化されていると判断した場合に、入力されるユーザ識別情報を用いて前記選択工程により選択されたユーザの画像データに対応する暗号化された出力データを復号化する復号化工程とを有し、
前記出力工程は、前記復号化工程が復号した出力データを出力することを特徴とする請求項１７記載のデータ処理方法。
【請求項２０】
請求項１３乃至１９のいずれか１項に記載のデータ処理方法をコンピュータに実行させるためのプログラムを格納したことを特徴とするコンピュータが読み取り可能な記憶媒体。
【請求項２１】
請求項１３乃至１９のいずれか１項に記載のデータ処理方法をコンピュータに実行させることを特徴とするプログラム。
【手続補正２】
【補正対象書類名】明細書
【補正対象項目名】００１２
【補正方法】変更
【補正の内容】
【００１２】
複数の画像形成装置と管理装置と情報処理装置とを含む画像形成システムであって、前記情報処理装置は、いずれかの画像形成装置で出力するための出力データを作成する第１作成手段と、前記第１作成手段により作成された出力データを前記管理装置に登録する指示を行うユーザを撮像する第１撮像手段と、前記第１作成手段により作成された出力データと、前記第１撮像手段により撮像される前記ユーザの画像データとを前記管理装置に転送する転送手段とを備え、前記管理装置は、前記情報処理装置から転送されるユーザの前記画像データと前記出力データとを受信する受信手段と、前記受信手段により受信されたユーザの前記画像データから前記出力データを特定するためのユーザ特徴情報を生成する生成手段と、前記受信手段により受信された前記画像データと、前記出力データと、前記生成手段により生成されたユーザ特徴情報とを関連づけて記憶する記憶手段と、前記記憶手段に記憶された出力データを検索するために前記画像形成装置で撮像されるユーザの画像データを前記画像形成装置から取得する取得手段と、前記取得手段により取得されたユーザの前記画像データからユーザ特徴情報を作成する第２作成手段と、前記第２作成手段により作成されたユーザ特徴情報と前記生成手段が生成したユーザ特徴情報とを用いて前記記憶手段に記憶された出力データを検索する検索手段と、前記検索手段により検索された出力データと、前記出力データに関連づけて前記記憶手段に記憶されたユーザの画像データとを前記取得手段がユーザの画像データを取得した画像形成装置に返送する返送手段とを備え、前記画像形成装置は、前記画像形成装置を操作するユーザを撮像する第２撮像手段と、前記第２撮像手段により撮像されたユーザの画像データを前記管理装置に送信する送信手段と、前記送信手段が送信したユーザの画像データを用いて前記管理装置が検索した出力データと、前記出力データに関連づけられた前記ユーザの画像データとを前記管理装置からダウンロードするダウンロード手段と、前記ダウンロード手段がダウンロードした前記出力データを出力する出力手段とを備えることを特徴とする。